(57)【要約】【課題】カーラの内径がより小さくなるようにカーラを縮径させた場合であっても、カーラの先端部を滑らかに移動させることを可能とするカーラを備えた、血圧計を提供する。【解決手段】カーラ１０の半径方向の外方に拡大しようとする力が大きくなった場合であっても、カーラ１０の先端部分に傾斜辺１１０が設けられていることから、内側に位置するカーラ１０の外面と外側に位置するカーラ１０の内面との摩擦力が低減される。その結果、カーラ１０の先端部を滑らかに移動させることが可能とする。【選択図】図１０
0003154222.tif 000002
【実用新案登録請求の範囲】
【請求項１】
径方向に伸縮可能な略円筒状のカーラと、
前記カーラの外側に配置され、前記カーラを圧迫するためのカーラ圧迫用流体袋と
前記カーラの内側に配置され、生体を圧迫するための生体圧迫用流体袋と、
を備え、
前記カーラは、外力が加えられていない自然状態において、前記カーラ全体により構成される円筒状態に対して、前記カーラの一方の端部には、さらに内側に向かう傾斜辺が形成されている、血圧計。
【請求項２】
前記傾斜辺は、前記カーラ全体の半径よりも小さい半径により湾曲した状態で内側に向かう形態を有する、請求項１に記載の血圧計。
【請求項３】
前記傾斜辺は、直線状態で内側に向かう形態を有する、請求項１に記載の血圧計。
【考案の詳細な説明】
【技術分野】
【０００１】
本考案は、生体を圧迫固定するための血圧計に関し、特に、血圧計等において用いられるカフを生体（例えば上腕）に対して自動的に巻き付けて生体を圧迫固定することが可能な血圧測定用の血圧計に関する。
【背景技術】
【０００２】
下記特許文献１に開示される血圧計では、略円筒状に巻き回された板状部材からなるカーラを有している。このカーラの外側の全周にわたってカーラ圧迫用空気袋を配置することにより、カーラの外周面を全面にわたって均等に押圧することを可能としている。
【０００３】
カーラの内径としては、測定者の最大上腕腕周に対応した寸法が採用されている。そのため、上腕の腕周が小さい測定者がこの血圧計を用いた場合には、カーラの内径がより小さくなるようにカーラを縮径させる必要がある。
【０００４】
カーラの内径がより小さくなるようにカーラを縮径させた場合、反作用としてカーラの半径方向の外方に拡大しようとする力が大きくなる。この外方に拡大しようとする力が大きくなると、内側に位置するカーラ先端部が、外側に位置するカーラの内面に強く押し付けられた状態となる。
【０００５】
しかし、カーラ先端部に外側に向かう大きな力が発生した状態では、内側に位置するカーラの外面と外側に位置するカーラの内面との摩擦力が大きくなり、カーラの先端部が滑らかに移動しない状態の発生が懸念される。
【先行技術文献】
【特許文献】
【０００６】
【特許文献１】特開２００５−２３０１７５号公報
【考案の概要】
【考案が解決しようとする課題】
【０００７】
この考案が解決しようとする課題は、カーラの内径をより小さくなるようにカーラを縮径させた場合、カーラの先端部が滑らかに移動しない状態の発生にある。
【０００８】
したがって、本考案の目的は、上記課題を解決するためになされたものであり、カーラの内径がより小さくなるようにカーラを縮径させた場合であっても、カーラの先端部内を滑らかに移動させることを可能とするカーラを備えた、血圧計を提供することにある。
【課題を解決するための手段】
【０００９】
この考案に基づいた血圧計においては、径方向に伸縮可能な略円筒状のカーラと、上記カーラの外側に配置され、上記カーラを圧迫するためのカーラ圧迫用流体袋と、上記カーラの内側に配置され、生体を圧迫するための生体圧迫用流体袋とを備え、上記カーラは、外力が加えられていない自然状態において、上記カーラ全体により構成される円筒状態に対して、上記カーラの一方の端部には、さらに内側に向かう傾斜辺が形成されている。
【考案の効果】
【００１０】
この考案に基づいた血圧計によれば、カーラの内径がより小さくなるようにカーラを縮径させた場合であっても、カーラの先端部を滑らかに移動させることを可能とする血圧計を提供することが可能になる。
【図面の簡単な説明】
【００１１】
【図１】本考案の実施の形態におけるカーラを備えた血圧計の外観構造を示す斜視図である。
【図２】図１に示す血圧計を用いて血圧値を測定する際の測定姿勢を示す模式断面図である。
【図３】図１に示す血圧計のカフユニットの内部構造をより詳細に示す断面図である。
【図４】図１に示す血圧計の機能ブロックを示す図である。
【図５】図１に示す血圧計の測定動作を示すフローチャートである。
【図６】本考案の実施の形態における血圧計のカーラの展開図である。
【図７】図６に示すカーラの設計上、外力が加えられていない状態での円筒状態を示す側面図である。
【図８】図６に示すカーラの設計上、外力が加えられて最も縮径した形状を示す斜視図である。
【図９】本実施の形態におけるカーラの傾斜辺の作用を説明するための第１模式断面図である。
【図１０】本実施の形態におけるカーラの傾斜辺の作用を説明するための第２模式断面図である。
【図１１】背景技術におけるカーラの課題を示す模式断面図である。
【図１２】本実施の形態における他の形態のカーラの形状を示す側面図である。
【考案を実施するための形態】
【００１２】
以下、本考案の一実施の形態における血圧計について、図１から図１２を参照しながら説明する。なお、以下に説明する実施の形態において、個数、量などに言及する場合、特に記載がある場合を除き、本考案の範囲は必ずしもその個数、量などに限定されない。また、以下に複数の実施の形態が存在する場合、特に記載がある場合を除き、各々の実施の形態の構成を適宜組み合わせることは、当初から予定されている。
【００１３】
図１は、本考案の実施の形態における血圧計の外観構造を示す斜視図である。図２は、図１に示す血圧計を用いて血圧値を測定する際の測定姿勢を示す模式断面図である。
【００１４】
（血圧計１の構成）
図１に示すように、本実施の形態における血圧計１は、机等の載置台に載置される基台２と、測定部位である上腕を差し込むためのカフユニット５とを有している。基台２の上部には、電源の投入に用いられる電源ボタンや測定動作を開始させるための測定ボタンなどが配置された操作部３、および測定結果や操作ガイド等を表示するための表示部４が設けられている。
【００１５】
カフユニット５は、基台２に対して回動自在に取り付けられており、略円筒状の機枠であるシェル６と、シェル６の内周部に収納された血圧計とを備える。なお、図１に示すように、通常の使用状態においてシェル６の内周部に収納された血圧計は露出しておらず、布製のカバー７によって覆われている。
【００１６】
上述の血圧計１を用いた血圧値の測定に際しては、図２に示すように、シェル６の内側に位置する中空部に測定者の上腕１００を差し込み、シェル６の内周部に組み込まれた生体圧迫固定機構によって上腕１００を圧迫固定することによって血圧値の測定が行なわれる。
【００１７】
本血圧計１においては、基台２の上部に肘を載置するための肘置きが設けられている。測定中においてこの肘置きに肘を載置することにより、適切な測定姿勢が実現されるようになる。
【００１８】
図２に示すように、生体圧迫固定機構は、生体を圧迫するための生体圧迫用流体袋である生体圧迫用空気袋１３と、生体圧迫用空気袋１３の外側に位置し、半径方向に伸縮可能な略円筒状の可撓性部材であるカーラ１０と、カーラ１０の外側に位置し、膨張することによってカーラ１０の外周面を内側に向かって押圧し、カーラ１０を縮径させるとともに、カーラ１０を介して生体圧迫用空気袋１３を生体に対して押し付ける可撓性部材圧迫用流体袋であるカーラ圧迫用空気袋８とを有している。
【００１９】
この血圧計１においては、上述の生体圧迫固定機構を作動させることによって上腕１００の圧迫固定が行なわれ、その後、生体圧迫用空気袋１３を膨張・収縮させることによって動脈内に生じる動脈圧脈波の検出が行なわれ、これによって血圧値の測定が行なわれる。
【００２０】
図３は、上述のカフユニットの内部構造をより詳細に説明するための断面図である。図３に示すように、血圧計１のカフユニット５においては、シェル６の内側にカーラ圧迫用空気袋８が配置されている。カーラ圧迫用空気袋８は、シェル６の内周面に接触する外周層８ａと、外周層８ａの内側に位置する内周層８ｂとを備えている。
【００２１】
外周層８ａと内周層８ｂとを接着または縫合することにより、これらの間に内腔８ｃが形成される。カーラ圧迫用空気袋８の内腔８ｃは、後述するカーラ圧迫用エア系３０（図４参照）の作用により、膨縮自在に体積変動する。なお、図３に示す血圧計においては、このカーラ圧迫用空気袋８の内腔８ｃが周方向に均等に６つの空間に区画・分割されているが、これら空間は互いに連通しており、一のエア系によって膨張または収縮させることが可能である。
【００２２】
カーラ圧迫用空気袋８の内側には、全周にわたって低摩擦部材である布地９が配置されている。この布地９は、カーラ１０とカーラ圧迫用空気袋８とのすべり摩擦を低減するための部材である。
【００２３】
布地９の内側には、略円筒状に巻き回された板状部材からなるカーラ１０が位置している。カーラ１０は、たとえばポリプロピレン樹脂等の樹脂材料にて形成されている。カーラ１０の周方向における両端は、外力が作用していない状態においてその一部が重複するように形成されている。これにより、収縮時にカーラ１０の両端がぶつかることによってその収縮が阻害されないように構成されている。
【００２４】
カーラ１０の大部分は、袋状に形成された低摩擦部材である布袋１１によって覆われている。この布袋１１は、上述の布地９と同様に、カーラ１０とカーラ圧迫用空気袋８とのすべり摩擦を低減するための部材である。カーラ１０の内側に位置する先端部分は、布袋１１には覆われていない。このカーラ１０自体の詳細構造については、後述する。
【００２５】
カーラ１０の内側には、生体圧迫用空気袋１３を含む生体圧迫ユニット１２が位置している。生体圧迫ユニット１２は、最も内側に位置する生体圧迫用空気袋１３と、生体圧迫用空気袋１３の外側に位置し、剛性の小さい生体圧迫用空気袋１３の形状を維持するための形状維持部材である比較的剛性の大きい樹脂プレート１４と、この樹脂プレート１４の外側に位置し、樹脂プレート１４の内周面側に接触する低摩擦部材である布地１５とによって構成されている。
【００２６】
生体圧迫用空気袋１３は、樹脂プレート１４の内周面に接触する外周層１３ａと、外周層１３ａの内側に位置し、カフユニット５の内周面を覆うカバー７に接触する内周層１３ｂとを備えており、外周層１３ａと内周層１３ｂとの間に内腔１３ｃを有している。この生体圧迫用空気袋１３の内腔１３ｃは、後述する生体圧迫用エア系２０（図４参照）の作用により、膨縮自在に体積変動する。
【００２７】
樹脂プレート１４は、比較的剛性の小さい生体圧迫用空気袋１３の形状を略円筒状に維持するための形状維持部材である。また、布地１５は、カーラ１０と生体圧迫用空気袋１３とのすべり摩擦を低減するための部材である。
【００２８】
（血圧計１の機能ブロック）
図４は、図１に示す血圧計１の機能ブロックを示す図である。図４に示すように、上述の生体圧迫用空気袋１３およびカーラ圧迫用空気袋８は、それぞれ生体圧迫用エア系２０およびカーラ圧迫用エア系３０に接続されている。また、生体圧迫用エア系２０およびカーラ圧迫用エア系３０は、それぞれＣＰＵ４０によってその動作が制御される。
【００２９】
生体圧迫用エア系２０は、エアポンプ２１と、エアバルブ２２と、圧力センサ２３とを含んでいる。エアポンプ２１は、生体圧迫用空気袋１３の内腔１３ｃを加圧するための手段であり、ＣＰＵ４０からの指令を受けたエアポンプ駆動回路２６によって駆動され、測定時において生体圧迫用空気袋１３の内腔１３ｃの圧力が所定の圧力となるように圧縮気体を内腔１３ｃに送り込む。
【００３０】
エアバルブ２２は、生体圧迫用空気袋１３の内腔１３ｃの圧力を維持したり、あるいは減圧したりするための手段であり、ＣＰＵ４０からの指令を受けたエアバルブ駆動回路２７によってその開閉状態が制御され、測定時においてエアポンプ２１によって高圧状態となった生体圧迫用空気袋１３の内腔１３ｃの圧力の維持および減圧を行なうとともに、測定終了後において生体圧迫用空気袋１３の内腔１３ｃを大気圧に復帰させる。
【００３１】
圧力センサ２３は、生体圧迫用空気袋１３の内腔１３ｃの圧力を検出するための手段であり、測定時において時々刻々と変化する生体圧迫用空気袋１３の内腔１３ｃの圧力を検出し、その検出値に応じた信号を増幅器２８に対して出力する。増幅器２８は、圧力センサ２３から出力される信号を増幅し、Ａ／Ｄコンバータ２９に出力する。Ａ／Ｄコンバータ２９は、増幅器２８から出力されたアナログ信号をデジタル化し、ＣＰＵ４０に出力する。
【００３２】
カーラ圧迫用エア系３０は、エアポンプ３１と、エアバルブ３２と、圧力センサ３３とを含んでいる。エアポンプ３１は、カーラ圧迫用空気袋８の内腔８ｃを加圧するための手段であり、ＣＰＵ４０からの指令を受けたエアポンプ駆動回路３６によって駆動され、測定開始時においてカーラ圧迫用空気袋８の内腔８ｃの圧力が所定の圧力となるように圧縮気体を内腔８ｃに送り込む。
【００３３】
エアバルブ３２は、カーラ圧迫用空気袋８の内腔８ｃの圧力の維持および減圧を行なうための手段であり、ＣＰＵ４０からの指令を受けたエアバルブ駆動回路３７によってその開閉状態が制御され、測定時においてエアポンプ３１によって高圧状態となったカーラ圧迫用空気袋８の内腔８ｃの圧力の維持を行なうとともに、測定終了後においてカーラ圧迫用空気袋８の内腔８ｃを大気圧に復帰させる。
【００３４】
圧力センサ３３は、カーラ圧迫用空気袋８の内腔８ｃの圧力を検出するための手段であり、測定開始時においてカーラ圧迫用空気袋８の内腔８ｃの圧力を検出し、その検出値に応じた信号を増幅器３８に対して出力する。
【００３５】
増幅器３８は、圧力センサ３３から出力される信号を増幅し、Ａ／Ｄコンバータ３９に出力する。Ａ／Ｄコンバータ３９は、増幅器３８から出力されたアナログ信号をデジタル化し、ＣＰＵ４０に出力する。
【００３６】
ＣＰＵ４０は、血圧計の基台２に設けられた操作部３に入力された指令に基づいて生体圧迫用エア系２０およびカーラ圧迫用エア系３０の制御を行なうとともに、測定結果を表示部４やメモリ部４１に出力する。なお、メモリ部４１は、測定結果を記憶するための手段である。
【００３７】
（測定動作フローチャート）
図５は、上述の構成の血圧計における測定動作を示すフローチャートである。図５に示すように、本血圧計１においては、測定者等が基台２の操作部３に設けられた測定ボタンを押下することにより、測定動作に移行する。
【００３８】
まず、ステップ１において、血圧計１の初期化が行なわれる。次に、ステップ２において、カーラ圧迫用空気袋８の加圧が行なわれ、カーラ圧迫用空気袋８の内腔８ｃの圧力が所定の圧力に達した時点でカーラ圧迫用空気袋８の加圧を終了する（ステップ３）。
【００３９】
次に、ステップ４において、生体圧迫用空気袋１３の加圧が行なわれ、生体圧迫用空気袋１３の内腔１３ｃの圧力が所定の圧力に達した時点で生体圧迫用空気袋１３の加圧を終了し、ステップ５において、生体圧迫用空気袋１３の減圧を行ないながら動脈圧脈波の検出を行なう。
【００４０】
その後、ステップ６において、上記動脈圧脈波の検出データに基づいて血圧値の算出が行なわれ、ステップ７において、基台２に設けられた表示部４において血圧値の表示が行なわれるとともに、ステップ８において、カーラ圧迫用空気袋８の内腔８ｃおよび生体圧迫用空気袋１３の内腔１３ｃの大気解放が行なわれる。
【００４１】
（カーラ１０）
次に、図６から図１１を参照して、本実施の形態の血圧計１に用いられるカーラ１０自体の詳細構造について説明する。まず、図６から図８を参照して、カーラ１０はたとえばポリプロピレン樹脂等の樹脂材料にて形成されている。外力が加えられていない自然状態においては、カーラ１０は略円筒形状に巻き回された形態が維持されるように成形されている。
【００４２】
図６に示されるように、このカーラ１０は、その周方向端部のうちの一方の端部の近傍における軸方向長さＤ１が、周方向中央部近傍における軸方向長さＤ２よりも短く構成されている。すなわち、カーラ１０を展開した状態において、カーラ１０の長手方向に延びる一対の周縁部の一方端寄りに勾配が設けられている。
【００４３】
図７に示されるように、外力が加えられていない自然状態において、カーラ１０全体により構成される円筒状態に対して、カーラ１０の一方の端部にはさらに内側に向かう傾斜辺１１０が形成されている。一例として、内径φＤが約１７５ｍｍ程度の場合に、傾斜辺１１０は、曲率半径（Ｒ）が約１５ｍｍ程度で湾曲している。仮想円周と傾斜辺１１０との最大離間距離Ａは、約５．４ｍｍ程度である。したがって傾斜辺１１０は、カーラ１０全体の半径よりも小さい半径により湾曲した状態で内側に向かう形態を有することとなる。
【００４４】
これらの数値は、測定者の上腕寸法に基づき算出されたもので、測定者の最大上腕腕周〜最少上腕腕周に対応した寸法であり、傾斜辺１１０の湾曲形状は、図８に示すように、カーラ１０が最も縮径された状態において、最少上腕腕周を有する測定者の上腕に沿う形態であることが好ましい。
【００４５】
このような形態を有するカーラ１０の内径をより小さくなるように縮径させた場合、図９および図１０に示すように、カーラ１０の半径方向の外方に拡大しようとする力が大きくなった場合であっても、カーラ１０の先端部分に傾斜辺１１０が設けられていることから、内側に位置するカーラ１０の外面と外側に位置するカーラ１０の内面との摩擦力が低減される。また、カーラ１０の先端部が、カーラ１０の表面に設けられた布袋１１に食い込む（図１１に示すＦの領域での食い込み）こともない。その結果、カーラ１０の先端部を滑らかに移動させることが可能となる。
【００４６】
なお、上記カーラ１０における傾斜辺１１０は、湾曲形状によりさらに内側に向かう形態を採用した場合について説明したが、図１２に示すように、直線状態で内側に向かう形態を有する傾斜辺１１０を採用することも可能である。
【００４７】
以上、本実施の形態における血圧計によれば、最少上腕腕周を有する測定者が本実施の形態における血圧計１を用いて、血圧値の測定を行なった場合であっても、精度良く血圧値の測定を行なうことが可能となる。また、最大上腕腕周〜最少上腕腕周の幅広い測定者に対して精度の良い血圧値の測定結果を提供できることから、病院、公共施設等において幅広く用いることが可能となる。
【００４８】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００４９】
１  血圧計、２  基台、３  操作部、４  表示部、５  カフユニット、６  シェル、７  カバー、８  カーラ圧迫用空気袋、８ａ  外周層、８ｂ  内周層、８ｃ  内腔、９  布地、１０  カーラ、１１  布袋、１２  生体圧迫ユニット、１３  生体圧迫用空気袋、１３ａ  外周層、１３ｂ  内周層、１３ｃ  内腔、１４  樹脂プレート、１５  布地、２０  生体圧迫用エア系、２１，３１  エアポンプ、２２，３２  エアバルブ、２３，３３  圧力センサ、２６，３６  エアポンプ駆動回路、２７，３７  エアバルブ駆動回路、２８，３８  増幅器、２９，３９  Ａ／Ｄコンバータ、３０  カーラ圧迫用エア系、４０  ＣＰＵ、４１  メモリ部、１００  上腕、１１０  傾斜辺。
【図１】
0003154222.tif 000003
【図２】
0003154222.tif 000004
【図３】
0003154222.tif 000005
【図４】
0003154222.tif 000006
【図５】
0003154222.tif 000007
【図６】
0003154222.tif 000008
【図７】
0003154222.tif 000009
【図８】
0003154222.tif 000010
【図９】
0003154222.tif 000011
【図１０】
0003154222.tif 000012
【図１１】
0003154222.tif 000013
【図１２】
0003154222.tif 000014